(57)【要約】      （修正有）【課題】端末装置が用いる特定プロトコルに対応していない非対応機が使用される場合に、使用される装置として非対応機ではない自装置がユーザに報知されることを抑制する。【解決手段】第１印刷装置１０は、Ｂｏｎｊｏｕｒ（登録商標）等のディスカバリプロトコルや、無線プリントシステムであるＡｉｒＰｒｉｎｔ（登録商標）に対応したプリンタであって、Ｂｏｎｊｏｕｒ及びＡｉｒＰｒｉｎｔに対応していない非対応機である第２印刷装置との間で通信を行い、携帯端末との間ではＩＰＰ等のプロトコルを用いた通信を行うネットワーク入出力部１１と、携帯端末からＩｄｅｎｔｉｆｙＰｒｉｎｔｅｒの要求が行われると、自装置への要求であれば自装置の位置を操作者に通知し、非対応機への要求であれば自装置の位置を操作者に通知しない応答機能実行部１６と、非対応機への画像形成の指示を非対応機に転送するジョブ転送部１７とを備える。【選択図】図３
2015187791.tif 000002
【特許請求の範囲】
【請求項１】
記録媒体に画像を形成するとともに特定プロトコルを用いた通信を行えない非対応機との間で通信を行い、端末装置との間では当該特定プロトコルを用いた通信を行う通信手段と、
自装置および前記非対応機を判別するための判別情報を含む装置情報を装置ごとに取得する取得手段と、
前記端末装置から前記特定プロトコルを用いた存在通知の要求が行われると、前記装置情報に基づいて、当該存在通知の要求が自装置への要求であれば自装置の位置を操作者に通知し、当該存在通知の要求が前記非対応機への要求であれば自装置の位置を操作者に通知しない通知手段と、
前記端末装置にて行われる前記非対応機を用いた画像形成の指示を、当該非対応機に転送する転送手段と
を備える通信装置。
【請求項２】
前記非対応機の前記装置情報は、当該非対応機が有する存在通知に関する機能の情報を含み、
前記通知手段は、前記存在通知の要求が前記非対応機への要求である場合に、当該非対応機に対して、当該非対応機が有する前記存在通知に関する機能を実行して、当該非対応機の位置を操作者に通知するように指示すること
を特徴とする請求項１に記載の通信装置。
【請求項３】
前記存在通知の要求では、前記存在通知に関する機能が指定されており、
前記通知手段は、前記存在通知の要求先とされた前記非対応機が、指定された前記存在通知に関する機能を有さない場合、指定された当該存在通知に関する機能の代わりに当該非対応機が有する他の存在通知に関する機能を実行するように指示すること
を特徴とする請求項２に記載の通信装置。
【請求項４】
前記非対応機が有する前記存在通知に関する機能の情報は、操作者が登録すること、自装置が当該非対応機から取得すること、及び当該非対応機が自装置に登録することの少なくともいずれか１つの手段により、前記取得手段により取得されること
を特徴とする請求項２または３に記載の通信装置。
【請求項５】
前記通知手段は、前記端末装置から前記存在通知の要求が行われた時点で、当該存在通知の要求先とされた自装置または前記非対応機を使用している操作者が存在すれば、当該存在通知の要求に対する対応を当該操作者に選択させるための情報を出力すること
を特徴とする請求項１乃至４のいずれか１項に記載の通信装置。
【請求項６】
前記操作者に選択させるための情報は、前記端末装置に通知される情報であり、前記存在通知の要求先とされた自装置または前記非対応機とは異なる装置を使用することを促す情報であること
を特徴とする請求項５に記載の通信装置。
【請求項７】
画像処理を行うとともに特定プロトコルを用いた通信を行えない非対応機との間で通信を行い、端末装置との間では当該特定プロトコルを用いた通信を行う通信手段と、
自装置および前記非対応機を判別するための判別情報を含む装置情報を装置ごとに取得する取得手段と、
前記端末装置からの前記特定プロトコルを用いた存在通知の要求が自装置への要求であれば、前記装置情報に基づいて、自装置の位置を操作者に通知する通知手段と、
前記端末装置からの前記特定プロトコルを用いた前記非対応機への画像処理の指示を、当該非対応機に転送する転送手段とを備え、
前記通知手段は、前記端末装置から前記非対応機への前記存在通知の要求が行われた場合に、前記装置情報に基づいて、自装置の位置を操作者に通知しないこと
を特徴とする通信装置。
【請求項８】
画像処理を行うとともに特定プロトコルを用いた通信を行えない非対応機と、
前記非対応機と通信を行うとともに前記特定プロトコルを用いて端末装置と通信を行う対応機とを含み、
前記対応機は、
自装置および前記非対応機を判別するための判別情報を含む装置情報を装置ごとに取得する取得手段と、
前記端末装置から前記特定プロトコルを用いた存在通知の要求が行われると、前記装置情報に基づいて、当該存在通知の要求が自装置への要求であれば自装置の位置を操作者に通知し、当該存在通知の要求が前記非対応機への要求であれば自装置の位置を操作者に通知しない通知手段と、
前記端末装置にて行われる前記非対応機を用いた画像処理の指示を、当該非対応機に転送する転送手段と
を備えることを特徴とする画像処理システム。
【請求項９】
コンピュータに、
記録媒体に画像を形成するとともに特定プロトコルを用いた通信を行えない非対応機との間で通信を行い、端末装置との間では当該特定プロトコルを用いた通信を行う機能と、
自装置および前記非対応機を判別するための判別情報を含む装置情報を装置ごとに取得する機能と、
前記端末装置から前記特定プロトコルを用いた存在通知の要求が行われると、前記装置情報に基づいて、当該存在通知の要求が自装置への要求であれば自装置の位置を操作者に通知し、当該存在通知の要求が前記非対応機への要求であれば自装置の位置を操作者に通知しない機能と、
前記端末装置にて行われる前記非対応機を用いた画像形成の指示を、当該非対応機に転送する機能と
を実現させるためのプログラム。
【発明の詳細な説明】
【技術分野】
【０００１】
本発明は、通信装置、画像処理システムおよびプログラムに関する。
【背景技術】
【０００２】
公報記載の従来技術として、存在通知を要求する存在通知要求情報に対応づけられた通知手段による存在通知ができるか否かを判定し、通知できないと判定された場合に、代替する通知手段として、音、光、又は振動のいずれかの物理作用を外部に及ぼす通知手段で応答するプリンタが存在する（特許文献１参照）。
【０００３】
また、他の公報記載の従来技術として、外部入力装置からの特定の報知信号に応答して、自己の位置を報知するための、ブザーおよびＬＥＤを有する報知手段を備えたプリンタが存在する（特許文献２参照）。
さらに、他の公報記載の従来技術として、通信相手先から受信したデータが特定のデータであるか否かを判定し、この判定に応じて、物理的位置を認識可能にする応答情報を出力するプリンタが存在する（特許文献３参照）。
【先行技術文献】
【特許文献】
【０００４】
【特許文献１】特許第４９６０８１８号明細書
【特許文献２】特開２００１−２１６２４１号公報
【特許文献３】特開２００２−０８２７９０号公報
【発明の概要】
【発明が解決しようとする課題】
【０００５】
本発明の目的は、端末装置が用いる特定プロトコルに対応していない非対応機が使用される場合に、使用される装置として非対応機ではない自装置がユーザに報知されることを抑制することにある。
【課題を解決するための手段】
【０００６】
請求項１記載の発明は、記録媒体に画像を形成するとともに特定プロトコルを用いた通信を行えない非対応機との間で通信を行い、端末装置との間では当該特定プロトコルを用いた通信を行う通信手段と、自装置および前記非対応機を判別するための判別情報を含む装置情報を装置ごとに取得する取得手段と、前記端末装置から前記特定プロトコルを用いた存在通知の要求が行われると、前記装置情報に基づいて、当該存在通知の要求が自装置への要求であれば自装置の位置を操作者に通知し、当該存在通知の要求が前記非対応機への要求であれば自装置の位置を操作者に通知しない通知手段と、前記端末装置にて行われる前記非対応機を用いた画像形成の指示を、当該非対応機に転送する転送手段とを備える通信装置である。
請求項２記載の発明は、前記非対応機の前記装置情報は、当該非対応機が有する存在通知に関する機能の情報を含み、前記通知手段は、前記存在通知の要求が前記非対応機への要求である場合に、当該非対応機に対して、当該非対応機が有する前記存在通知に関する機能を実行して、当該非対応機の位置を操作者に通知するように指示することを特徴とする請求項１に記載の通信装置である。
請求項３記載の発明は、前記存在通知の要求では、前記存在通知に関する機能が指定されており、前記通知手段は、前記存在通知の要求先とされた前記非対応機が、指定された前記存在通知に関する機能を有さない場合、指定された当該存在通知に関する機能の代わりに当該非対応機が有する他の存在通知に関する機能を実行するように指示することを特徴とする請求項２に記載の通信装置である。
請求項４記載の発明は、前記非対応機が有する前記存在通知に関する機能の情報は、操作者が登録すること、自装置が当該非対応機から取得すること、及び当該非対応機が自装置に登録することの少なくともいずれか１つの手段により、前記取得手段により取得されることを特徴とする請求項２または３に記載の通信装置である。
請求項５記載の発明は、前記通知手段は、前記端末装置から前記存在通知の要求が行われた時点で、当該存在通知の要求先とされた自装置または前記非対応機を使用している操作者が存在すれば、当該存在通知の要求に対する対応を当該操作者に選択させるための情報を出力することを特徴とする請求項１乃至４のいずれか１項に記載の通信装置である。
請求項６記載の発明は、前記操作者に選択させるための情報は、前記端末装置に通知される情報であり、前記存在通知の要求先とされた自装置または前記非対応機とは異なる装置を使用することを促す情報であることを特徴とする請求項５に記載の通信装置である。
請求項７記載の発明は、画像処理を行うとともに特定プロトコルを用いた通信を行えない非対応機との間で通信を行い、端末装置との間では当該特定プロトコルを用いた通信を行う通信手段と、自装置および前記非対応機を判別するための判別情報を含む装置情報を装置ごとに取得する取得手段と、前記端末装置からの前記特定プロトコルを用いた存在通知の要求が自装置への要求であれば、前記装置情報に基づいて、自装置の位置を操作者に通知する通知手段と、前記端末装置からの前記特定プロトコルを用いた前記非対応機への画像処理の指示を、当該非対応機に転送する転送手段とを備え、前記通知手段は、前記端末装置から前記非対応機への前記存在通知の要求が行われた場合に、前記装置情報に基づいて、自装置の位置を操作者に通知しないことを特徴とする通信装置である。
請求項８記載の発明は、画像処理を行うとともに特定プロトコルを用いた通信を行えない非対応機と、前記非対応機と通信を行うとともに前記特定プロトコルを用いて端末装置と通信を行う対応機とを含み、前記対応機は、自装置および前記非対応機を判別するための判別情報を含む装置情報を装置ごとに取得する取得手段と、前記端末装置から前記特定プロトコルを用いた存在通知の要求が行われると、前記装置情報に基づいて、当該存在通知の要求が自装置への要求であれば自装置の位置を操作者に通知し、当該存在通知の要求が前記非対応機への要求であれば自装置の位置を操作者に通知しない通知手段と、前記端末装置にて行われる前記非対応機を用いた画像処理の指示を、当該非対応機に転送する転送手段とを備えることを特徴とする画像処理システムである。
請求項９記載の発明は、コンピュータに、記録媒体に画像を形成するとともに特定プロトコルを用いた通信を行えない非対応機との間で通信を行い、端末装置との間では当該特定プロトコルを用いた通信を行う機能と、自装置および前記非対応機を判別するための判別情報を含む装置情報を装置ごとに取得する機能と、前記端末装置から前記特定プロトコルを用いた存在通知の要求が行われると、前記装置情報に基づいて、当該存在通知の要求が自装置への要求であれば自装置の位置を操作者に通知し、当該存在通知の要求が前記非対応機への要求であれば自装置の位置を操作者に通知しない機能と、前記端末装置にて行われる前記非対応機を用いた画像形成の指示を、当該非対応機に転送する機能とを実現させるためのプログラムである。
【発明の効果】
【０００７】
請求項１記載の発明によれば、本構成を有していない場合と比較して、端末装置が用いる特定プロトコルに対応していない非対応機が使用される場合に、使用される装置として非対応機ではない自装置がユーザに報知されることが抑制される。
請求項２記載の発明によれば、本構成を有していない場合と比較して、ユーザは、使用される非対応機の位置を把握し易くなる。
請求項３記載の発明によれば、指定された存在通知に関する機能を非対応機が有さない場合であっても、非対応機に他の存在通知に関する機能を実行させることができる。
請求項４記載の発明によれば、本構成を有していない場合と比較して、非対応機が有する存在通知に関する機能の情報を取得することが容易になる。
請求項５記載の発明によれば、本構成を有していない場合と比較して、端末装置から操作された自装置または非対応機を使用している操作者の使用を妨げることが抑制される。
請求項６記載の発明によれば、本構成を有していない場合と比較して、端末装置から操作を行った操作者が、操作された自装置または非対応機とは異なる使用可能な装置を把握し易くなる。
請求項７記載の発明によれば、本構成を有していない場合と比較して、端末装置が用いる特定プロトコルに対応していない非対応機が使用される場合に、使用される装置として非対応機ではない自装置がユーザに報知されることが抑制される。
請求項８記載の発明によれば、本構成を有していない場合と比較して、端末装置が用いる特定プロトコルに対応していない非対応機が使用される場合に、使用される装置として非対応機ではない自装置がユーザに報知されることを抑制する画像処理システムを提供することができる。
請求項９記載の発明によれば、本構成を有していない場合と比較して、端末装置が用いる特定プロトコルに対応していない非対応機が使用される場合に、使用される装置として非対応機ではない自装置がユーザに報知されることを抑制する機能を、コンピュータにより実現できる。
【図面の簡単な説明】
【０００８】
【図１】本実施の形態に係る印刷システムの全体構成例を示した図である。
【図２】本実施の形態に係る第１印刷装置のハードウェア構成例を示した図である。
【図３】本実施の形態に係る第１印刷装置の機能構成例を示した図である。
【図４】本実施の形態に係る第２印刷装置の機能構成例を示した図である。
【図５】本実施の形態に係る携帯端末の機能構成例を示した図である。
【図６】本実施の形態に係る印刷システムの動作例を説明するための図である。
【図７−１】ＩｄｅｎｔｉｆｙＰｒｉｎｔｅｒの要求が行われた際に行われる処理の手順の一例を示したフローチャートである。
【図７−２】ＩｄｅｎｔｉｆｙＰｒｉｎｔｅｒの要求が行われた際に行われる処理の手順の一例を示したフローチャートである。
【図８】（ａ）〜（ｃ）は、携帯端末の表示部に表示される画面の構成例を説明するための図である。
【図９】（ａ）（ｂ）は、応答機能を実行する際に用いられるプリンタ情報ＤＢの一例を示す図である。
【図１０】携帯端末からの操作に対する対応をユーザに選択させる際の処理の手順の一例を示したフローチャートである。
【発明を実施するための形態】
【０００９】
以下、添付図面を参照して、本発明の実施の形態について詳細に説明する。
＜背景＞
ＡｉｒＰｒｉｎｔ（登録商標）のように、所謂モバイル機器（携帯端末）から印刷を行おうとする度に、モバイル機器で使用可能なプリンタ（印刷装置）をモバイル機器が探索し、探索によって得られたプリンタの中から印刷で用いるプリンタをモバイル機器にて選択する無線プリントシステムが実用化されている。このような無線プリントシステムでは、一般に、モバイル機器と同じサブネットに接続されたプリンタまたはこれよりも広い範囲のネットワークに接続されたプリンタに対して、モバイル機器が、Ｂｏｎｊｏｕｒ（登録商標）等のディスカバリプロトコルを用いて探索要求を行う。そして、探索要求に対するプリンタからの応答に基づいて、使用可能なプリンタが、モバイル機器に設けられた画面に一覧表示される。
【００１０】
また、ＡｉｒＰｒｉｎｔでは、モバイル機器により使用するプリンタを選択した場合に、選択されたプリンタが実際にはどこに位置しているかがユーザにわかるようにするための機能として、例えばＩｄｅｎｔｉｆｙＰｒｉｎｔｅｒ等のプロトコルが用いられる。ここで、ユーザの操作によりモバイル機器にてプリンタが選択され、ＩｄｅｎｔｉｆｙＰｒｉｎｔｅｒ等の要求が行われると、要求が行われたプリンタは、例えば、音を鳴らす、ライトを点灯させる等の動作により、プリンタの位置をユーザへ報知する。
【００１１】
しかしながら、モバイル機器からの探索要求に対する応答が可能であるのは、ＢｏｎｊｏｕｒおよびＡｉｒＰｒｉｎｔに対応したプリンタ（以下、対応機と称する）だけであり、ＢｏｎｊｏｕｒおよびＡｉｒＰｒｉｎｔに対応していないプリンタ（以下、非対応機と称する）は、モバイル機器からの探索要求に対する応答を行うことができない。そこで、対応機において非対応機を論理プリンタとして登録することで、対応機が非対応機に代わってモバイル機器からの探索要求に応答し、非対応機の情報をモバイル機器に送信することができる。
【００１２】
しかし、このように非対応機を論理プリンタとして登録した場合であっても、ＩｄｅｎｔｉｆｙＰｒｉｎｔｅｒの要求に応答できるのは対応機のみであり、非対応機はＩｄｅｎｔｉｆｙＰｒｉｎｔｅｒの要求に対して応答することはできない。そのため、使用するプリンタとして非対応機が選択された場合には、非対応機を論理プリンタとして登録した対応機がＩｄｅｎｔｉｆｙＰｒｉｎｔｅｒの要求に応えて、音を鳴らしたり、ライトを点灯させたりして、選択されたプリンタとは異なるプリンタをユーザに報知してしまう場合がある。
そこで、以下に説明する実施の形態では、非対応機が選択された場合に、選択された非対応機を登録する対応機を、ユーザに報知しないようにする構成とする。
【００１３】
＜システムの全体構成＞
まず、本実施の形態に係る印刷システム１の全体構成について説明する。図１は、本実施の形態に係る印刷システム１の全体構成例を示した図である。図示するように、画像処理システムの一例としての印刷システム１は、画像を形成する機能を有するとともにＡｉｒＰｒｉｎｔおよびＢｏｎｊｏｕｒにも対応した、通信装置、対応機の一例としての第１印刷装置１０ａ、第１印刷装置１０ｂと、画像を形成する機能を有する一方でＡｉｒＰｒｉｎｔおよびＢｏｎｊｏｕｒには対応していない非対応機の一例としての第２印刷装置２０ａ、第２印刷装置２０ｂとを備えている。また、印刷システム１は、第１印刷装置１０ａ、第１印刷装置１０ｂ、第２印刷装置２０ａ、第２印刷装置２０ｂを接続するネットワーク３０と、ＡｉｒＰｒｉｎｔおよびＢｏｎｊｏｕｒに対応するとともに、第１印刷装置１０ａおよび第１印刷装置１０ｂと通信可能な端末装置の一例としての携帯端末４０とを備えている。
【００１４】
ここで、以下では、第１印刷装置１０ａ、第１印刷装置１０ｂについて、これらを区別する必要がない場合は、第１印刷装置１０と称する場合がある。同様に、第２印刷装置２０ａ、第２印刷装置２０ｂについて、これらを区別する必要がない場合は、第２印刷装置２０と称する場合がある。なお、図１に示す例では、２台の対応機（第１印刷装置１０ａ、第１印刷装置１０ｂ）、２台の非対応機（第２印刷装置２０ａ、第２印刷装置２０ｂ）を示したが、対応機、非対応機は１台でも良く、また３台以上でも良いものとする。
【００１５】
第１印刷装置１０ａ、第１印刷装置１０ｂ、第２印刷装置２０ａ、第２印刷装置２０ｂは、それぞれ、用紙等の記録媒体に画像を形成し、印刷媒体として出力する物理プリンタ（画像形成装置）である。また、第１印刷装置１０ａ、第１印刷装置１０ｂ、第２印刷装置２０ａ、第２印刷装置２０ｂは、例えば社内にある共有プリンタである。ここで、第１印刷装置１０ａ、第１印刷装置１０ｂ、第２印刷装置２０ａ、第２印刷装置２０ｂとしては、プリント機能のみを有するものを用いても良いが、プリント機能に加えて、コピー機能、スキャン機能、ファクシミリ機能等の他の画像処理機能を有するものを用いても良い。
【００１６】
ネットワーク３０は、第１印刷装置１０、第２印刷装置２０の各装置間の情報通信に用いられる通信手段であって、例えばＬＡＮ（Local Area Network）で構成される。ここで、ネットワーク３０では、第１印刷装置１０、第２印刷装置２０の各装置間の通信の通信プロトコルとして、例えばＴＣＰ／ＩＰ（Transmission Control Protocol / Internet Protocol）が用いられる。一方、第１印刷装置１０と携帯端末４０とを接続するネットワーク（以下、他のネットワークと称する）では、通信プロトコルとして特定プロトコルの一例としてのＩＰＰ（Internet Printing Protocol）が用いられる。即ち、第１印刷装置１０はＴＣＰ／ＩＰおよびＩＰＰの両者に対応するが、第２印刷装置２０はＴＣＰ／ＩＰには対応する一方ＩＰＰには対応していない。
【００１７】
付言すると、ＩｄｅｎｔｉｆｙＰｒｉｎｔｅｒの要求はＩＰＰにより行われる。本実施の形態では、存在通知の要求の一例として、ＩｄｅｎｔｉｆｙＰｒｉｎｔｅｒの要求が用いられる。
さらに、図１に示す例では、ネットワーク３０は有線ネットワークで構成され、他のネットワークは無線ネットワークで構成されるが、ネットワーク３０を無線ネットワークで構成したり、他のネットワークを有線ネットワークで構成したりしても良い。
【００１８】
携帯端末４０は、第１印刷装置１０、第２印刷装置２０における画像形成を指示する際に用いられる携帯型の端末装置である。また、携帯端末４０は、第１印刷装置１０や第２印刷装置２０での画像形成の対象となる文書データ等を作成するアプリケーションソフトウェアを動作させる。ここで、携帯端末４０としては、例えば、スマートフォン、ノートＰＣ、タブレットＰＣ等を用いると良い。
【００１９】
＜印刷装置のハードウェア構成＞
次に、第１印刷装置１０のハードウェア構成について説明する。図２は、本実施の形態に係る第１印刷装置１０のハードウェア構成例を示した図である。図示するように、第１印刷装置１０は、ＣＰＵ（Central Processing Unit）１０１と、ＲＡＭ（Random Access Memory）１０２と、ＲＯＭ（Read Only Memory）１０３と、ＨＤＤ（Hard Disk Drive）１０４と、操作パネル１０５と、画像形成部１０６と、通信インタフェース（以下、通信Ｉ／Ｆと称する）１０７と、ＬＥＤ（Light Emitting Diode）１０８とを備える。
【００２０】
ＣＰＵ１０１は、ＲＯＭ１０３等に記憶された各種プログラムをＲＡＭ１０２にロードして実行することにより、後述する各機能を実現する。
ＲＡＭ１０２は、ＣＰＵ１０１の作業用メモリ等として用いられるメモリである。
ＲＯＭ１０３は、ＣＰＵ１０１が実行する各種プログラム等を記憶するメモリである。
ＨＤＤ１０４は、画像形成部１０６における画像形成動作で用いる画像データ等を記憶する、例えば磁気ディスク装置である。
ここで、ＣＰＵ１０１が実行するプログラムは、予めＲＯＭ１０３に記憶させておく形態のほか、例えばＣＤ−ＲＯＭ等の記憶媒体に格納してＣＰＵ１０１に提供したり、あるいは、ネットワーク３０（図１参照）を介してＣＰＵ１０１に提供したりすることも可能である。
【００２１】
操作パネル１０５は、各種情報の表示やユーザからの操作入力の受付を行うタッチパネルである。ここで、操作パネル１０５は、各種情報が表示されるディスプレイと、指やスタイラスペン等で指示された位置を検出する位置検出シートとからなる。或いは、タッチパネルに代えて、ディスプレイおよびキーボードを用いても良い。
【００２２】
画像形成部１０６は、記録媒体に画像を形成するものである。ここで、画像形成部１０６は、例えばプリンタであり、感光体に付着させたトナーを記録媒体に転写して像を形成する電子写真方式や、インクを記録媒体上に吐出して像を形成するインクジェット方式のものを用いると良い。
通信Ｉ／Ｆ１０７は、ネットワーク３０あるいは他のネットワークを介して他の装置（例えば、第２印刷装置２０や携帯端末４０）との間で各種データの送受信を行う。
【００２３】
ＬＥＤ１０８は、第１印刷装置１０の場所をユーザに報知するために、赤、青、黄、白などの種々の色で、点灯状態を点灯/点滅/消灯のいずれかに変化させる光源（ライト）である。ただし、図２に示す例ではＬＥＤ１０８を示したが、発光するものであればどのようなものが用いられても良い。また、第１印刷装置１０はＬＥＤ１０８に代えて、またはＬＥＤ１０８に加えて、音を鳴らすことで第１印刷装置１０の場所をユーザに報知するブザー（不図示）を備えることとしても良い。
【００２４】
なお、図１に示す第２印刷装置２０のハードウェア構成も、上述した第１印刷装置１０のハードウェア構成と共通である。ただし、第２印刷装置２０に設けられた通信Ｉ／Ｆ１０７は、ネットワーク３０を介した通信は行えるものの、他のネットワークを介した通信を行うことはできない。
【００２５】
また、図１に示す携帯端末４０のハードウェア構成は、画像形成部１０６が設けられていない点、および、ＨＤＤ１０４に代えてフラッシュメモリが設けられている点を除いて、上述した第１印刷装置１０のハードウェア構成と共通である。ただし、携帯端末４０に設けられた通信Ｉ／Ｆ１０７は、他のネットワークを介した通信は行えるものの、ネットワーク３０を介した通信を行うことはできない。また、携帯端末４０は、ＬＥＤ１０８を備えなくても良い。
【００２６】
＜第１印刷装置１０の機能構成＞
次に、第１印刷装置１０の機能構成について説明する。図３は、本実施の形態に係る第１印刷装置１０の機能構成例を示した図である。
第１印刷装置１０は、ネットワーク入出力部１１と、ジョブ受信部１２と、印字部１３と、プリンタ情報記憶部１４と、検索応答部１５と、応答機能実行部１６と、ジョブ転送部１７と、表示部１８と、入力受付部１９とを備えている。
【００２７】
通信手段の一例としてのネットワーク入出力部１１は、ネットワーク３０を介して第２印刷装置２０との間でデータの入出力を行うとともに、他のネットワークを介して携帯端末４０との間でデータの入出力を行う。
ジョブ受信部１２は、外部から送られてくる印刷ジョブを、ネットワーク入出力部１１を介して受信する。ここで、印刷ジョブとは、印刷対象となる画像データと、印刷処理における設定が記述された制御命令とを含み、印刷処理の単位となるデータである。
印字部１３は、ジョブ受信部１２が受信した印刷ジョブの内容を解釈し、記録媒体に対して印字（画像形成）を行う。
【００２８】
取得手段の一例としてのプリンタ情報記憶部１４は、論理プリンタとして登録された非対応機の情報を記憶する。ここで、プリンタ情報記憶部１４は、非対応機の情報をプリンタ情報データベース（以下、プリンタ情報ＤＢと称する）に登録するものとする。プリンタ情報ＤＢに登録される論理プリンタの情報には、論理プリンタとして登録される第２印刷装置２０のホスト名、ＩＰアドレス等の情報が含まれる。また、登録される第２印刷装置２０が、例えば、ライトの点灯や点滅、ブザーによる音の鳴動のような、第２印刷装置２０の位置をユーザに報知して応答するための機能（以下、位置をユーザに報知して応答するための機能を、応答機能と称する）を有する場合には、応答機能の内容も登録される。
【００２９】
ここで、応答機能としては、ほかに、例えば、操作パネル１０５の画面へメッセージを表示したり、第２印刷装置２０内部のモータ等の駆動部を動作させて音を鳴らしたりするものが用いられることとしても良い。本実施の形態では、存在通知に関する機能の一例として、応答機能が用いられる。
また、プリンタ情報ＤＢには、物理プリンタとしての自装置（第１印刷装置１０ａ、または第１印刷装置１０ｂ）の情報も合わせて登録される。即ち、自装置のホスト名、ＩＰアドレス、自装置が有する応答機能の内容等が登録される。本実施の形態では、装置情報の一例として、プリンタ情報ＤＢに登録された情報が用いられる。
【００３０】
さらに、対応機である第１印刷装置１０のホスト名、ＩＰアドレス等の情報は、自装置にて決定されるとプリンタ情報ＤＢに記録される。一方、非対応機である第２印刷装置２０のホスト名やＩＰアドレス、さらに応答機能等の情報については、論理プリンタとして登録される際にプリンタ情報ＤＢに記録される。このような非対応機の情報は、例えば、第１印刷装置１０がネットワーク３０を介して第２印刷装置２０を検索して、第２印刷装置２０に要求することで取得される。また、例えば、第２印刷装置２０が第１印刷装置１０を検索して情報を送信し、プリンタ情報ＤＢに登録することとしても良いし、ユーザがプリンタ情報ＤＢに登録することとしても良い。
【００３１】
検索応答部１５は、ネットワーク入出力部１１を介して、携帯端末４０等からＢｏｎｊｏｕｒを用いた探索要求を受け取った場合に、対応機である自装置に関する検索応答を行うとともに、プリンタ情報ＤＢに非対応機に関する登録があった場合には、非対応機に関する検索応答を行う。
【００３２】
通知手段の一例としての応答機能実行部１６は、ネットワーク入出力部１１を介して、携帯端末４０等からＩｄｅｎｔｉｆｙＰｒｉｎｔｅｒの要求を受け取った場合に、プリンタ情報ＤＢをもとに、要求の対象となる装置（即ち、携帯端末４０にて選択された装置）が、自装置であるか、論理プリンタとして登録された非対応機であるか否かを判定する。そして、自装置に対する要求であれば、応答機能実行部１６は、自装置が有する応答機能を実行して自装置の位置を操作者に報知する。一方、非対応機に対する要求であれば、応答機能実行部１６は、応答機能を実行せずに、自装置の位置を操作者に通知しない。この場合、応答機能実行部１６は、非対応機に対して、非対応機が有する応答機能を実行して非対応機の位置を操作者に報知するように指示する。
【００３３】
転送手段の一例としてのジョブ転送部１７は、ネットワーク入出力部１１を介して携帯端末４０から送られてきた印刷ジョブの宛先が、対応機である自装置ではなく自装置に登録されている非対応機であった場合に、プリンタ情報ＤＢをもとに、受け取った印刷ジョブを転送用ジョブとして、本来の宛先である非対応機に向けて転送する。
表示部１８は、ユーザに対して各種画面を表示する。
入力受付部１９は、ユーザによる入力操作を受け付ける。
【００３４】
＜第２印刷装置２０の機能構成＞
次に、第２印刷装置２０の機能構成について説明する。図４は、本実施の形態に係る第２印刷装置２０の機能構成例を示した図である。
第２印刷装置２０は、ネットワーク入出力部２１と、ジョブ受信部２２と、印字部２３と、応答機能実行部２４と、表示部２５と、入力受付部２６とを備える。
【００３５】
ネットワーク入出力部２１は、ネットワーク３０を介して第１印刷装置１０との間でデータの入出力を行う。
ジョブ受信部２２は、外部から送られてくる印刷ジョブを、ネットワーク入出力部２１を介して受信する。なお、ジョブ受信部２２が受信する印刷ジョブには、携帯端末４０から第１印刷装置１０を介して送られてくる転送用ジョブが含まれる。
印字部２３は、ジョブ受信部２２が受信した印刷ジョブ（転送用ジョブ）の内容を解釈し、記録媒体に対して印字（画像形成）を行う。
【００３６】
応答機能実行部２４は、ネットワーク入出力部２１を介して、応答機能を実行する旨の指示を対応機から受け付けると、第２印刷装置２０が有する応答機能を実行する。
表示部２５は、ユーザに対して各種画面を表示する。
入力受付部２６は、ユーザによる入力操作を受け付ける。
【００３７】
＜携帯端末の機能構成＞
次に、携帯端末４０の機能構成について説明する。図５は、本実施の形態に係る携帯端末４０の機能構成例を示した図である。
携帯端末４０は、ネットワーク入出力部４１と、入力受付部４２と、表示部４３と、印刷装置検索部４４と、印刷可能プリンタリスト記憶部４５と、印刷データ作成部４６と、印刷要求送信部４７とを備えている。
【００３８】
ネットワーク入出力部４１は、他のネットワークを介して第１印刷装置１０との間でデータの入出力を行う。
入力受付部４２は、ユーザによる入力操作を受け付ける。
表示部４３は、ユーザに対して各種画面を表示する。
【００３９】
印刷装置検索部４４は、入力受付部４２を介してユーザから印刷装置の検索指示を受け付けた場合に印刷装置検索イベントを発生させ、ディスカバリプロトコル（例えば、Ｂｏｎｊｏｕｒ）を用いた印刷装置の探索要求を、ブロードキャストによって行う。
【００４０】
印刷可能プリンタリスト記憶部４５は、印刷装置検索部４４を用いた印刷装置の探索要求を行った後、対応機（例えば、第１印刷装置１０ａ、第１印刷装置１０ｂ）から送られてきた、携帯端末４０で使用可能なプリンタのリスト（以下、印刷可能プリンタリストと称する）を記憶する。
印刷データ作成部４６は、入力受付部４２を介してユーザから受け付けた指示に基づき、印刷データの作成を行う。
【００４１】
印刷要求送信部４７は、印刷可能プリンタリスト記憶部４５に記憶される印刷可能プリンタリストの中からユーザにより選択され、入力受付部４２を介して受け付けた特定のプリンタを宛先として、ＩｄｅｎｔｉｆｙＰｒｉｎｔｅｒの要求をネットワーク入出力部４１および他のネットワークを介して送信する。ＩｄｅｎｔｉｆｙＰｒｉｎｔｅｒの要求は、応答機能を実行することを第１印刷装置１０や第２印刷装置２０に要求するものであるが、要求する応答機能の内容を指定する場合もある。即ち、ＩｄｅｎｔｉｆｙＰｒｉｎｔｅｒの要求として、例えば、ライトを点滅させるように指定する場合もある。
また、印刷要求送信部４７は、入力受付部４２を介して受け付けた特定のプリンタを宛先とし、印刷データ作成部４６にて作成された印刷データを関連付けた印刷ジョブを作成して、ネットワーク入出力部４１および他のネットワークを介して送信する。
【００４２】
ここで、ユーザにより選択されたプリンタが対応機であれば、印刷要求送信部４７は、選択された対応機を宛先として、ＩｄｅｎｔｉｆｙＰｒｉｎｔｅｒの要求、および印刷ジョブを対応機に送信する。一方、ユーザにより選択されたプリンタが非対応機であれば、印刷要求送信部４７は、選択された非対応機を最終的な宛先とし、非対応機を論理プリンタとして登録している対応機に対して、ＩｄｅｎｔｉｆｙＰｒｉｎｔｅｒの要求、および印刷ジョブを送信する。
また、印刷要求送信部４７は、ＩｄｅｎｔｉｆｙＰｒｉｎｔｅｒの要求を印刷ジョブと一緒に送信しても良いし、印刷ジョブとは別に送信しても良い。
【００４３】
＜印刷システム全体の動作＞
次に、印刷システム１全体の動作について説明する。図６は、本実施の形態に係る印刷システム１の動作例を説明するための図である。図６に示す例では、対応機である第１印刷装置１０ａのプリンタ情報ＤＢにおいて、非対応機である第２印刷装置２０ａが論理プリンタとして登録されているものとして説明する。また、ユーザは、印刷を実行する装置として、第１印刷装置１０ａ、または第２印刷装置２０ａを選択するものとする。さらに、以下の例では、携帯端末４０は、まずＩｄｅｎｔｉｆｙＰｒｉｎｔｅｒの要求を送信し、入力受付部４２がさらにユーザからの入力を受け付けると、印刷ジョブを送信するものとして説明する。
【００４４】
まず、ユーザの操作により、携帯端末４０が他のネットワークを介して印刷装置の探索要求を行う（ステップ１０１）。なお、ステップ１０１では、携帯端末４０が、Ｂｏｎｊｏｕｒ等のディスカバリプロトコルの検索パケットをブロードキャストで送出する。ここで、対応機である第１印刷装置１０ａ、第１印刷装置１０ｂ（図１参照）は、他のネットワークを介して携帯端末４０からの印刷装置の探索要求を受け取り、プリンタ情報ＤＢをもとに、この探索要求に対する検索応答を行う（ステップ１０２）。
【００４５】
このとき、第１印刷装置１０ａ、第１印刷装置１０ｂは、他のネットワークを介して、対応機である自装置に関する検索応答と、プリンタ情報ＤＢに登録されている非対応機である他装置（例えば、第２印刷装置２０ａ、第２印刷装置２０ｂ）に関する検索応答とを行う。なお、非対応機である第２印刷装置２０ａ、第２印刷装置２０ｂは、他のネットワークの範囲内に設けられていたとしても、ステップ１０２の探索要求に対する検索応答を自らが行うことはできない。このような検索応答が行われることにより、ユーザは、携帯端末４０にて、印刷を実行する印刷装置を選択できるようになる。
【００４６】
それから、携帯端末４０は、ユーザの操作をもとに、他のネットワークを介して、ＩｄｅｎｔｉｆｙＰｒｉｎｔｅｒの要求を、対応機である第１印刷装置１０ａに送信する（ステップ１０３）。ここで、ＩｄｅｎｔｉｆｙＰｒｉｎｔｅｒの要求は、ユーザにより選択された対応機、またはユーザにより非対応機が選択された場合にはその非対応機を論理プリンタとして登録している対応機に送信されるため、図６に示す例では、第１印刷装置１０ａに送信される。
【００４７】
そして、第１印刷装置１０ａは、他のネットワークを介して受け取ったＩｄｅｎｔｉｆｙＰｒｉｎｔｅｒの要求が自装置を宛先としている場合、即ち、自装置が印刷を実行する装置としてユーザに選択された場合、自装置にてライトを点灯する等の応答機能を実行する（ステップ１０４）。一方、ＩｄｅｎｔｉｆｙＰｒｉｎｔｅｒの要求が非対応機である他装置（この例では、第２印刷装置２０ａ）を宛先としている場合、即ち、第２印刷装置２０ａが印刷を実行する装置としてユーザに選択された場合、第１印刷装置１０ａは、応答機能を実行せずに、第２印刷装置２０ａに対して応答機能を実行するように指示する（ステップ１０５）。そして、第２印刷装置２０ａは、第１印刷装置１０ａからの指示をもとに応答機能を実行する（ステップ１０６）。
【００４８】
また、携帯端末４０は、印刷ジョブの作成を行うとともに、宛先をＩｄｅｎｔｉｆｙＰｒｉｎｔｅｒの要求と同じ宛先にして、作成した印刷ジョブを、他のネットワークを介して対応機である第１印刷装置１０ａに送信する（ステップ１０７）。そして、他のネットワークを介して受け取った印刷ジョブが自装置を宛先としている場合、第１印刷装置１０ａは、自装置にて印刷ジョブに基づく印刷処理を実行する（ステップ１０８）。一方、他のネットワークを介して受け取った印刷ジョブが非対応機である第２印刷装置２０ａを宛先としている場合、第１印刷装置１０ａは、印刷ジョブに基づく転送用ジョブの作成を行うとともに、作成した転送用ジョブを、ネットワーク３０を介して第２印刷装置２０ａに送信する（ステップ１０９）。そして、第２印刷装置２０ａは、受け取った転送用ジョブ（印刷ジョブ）に基づく印刷処理を実行し（ステップ１１０）、一連の処理は終了する。
【００４９】
＜ＩｄｅｎｔｉｆｙＰｒｉｎｔｅｒの要求が行われた際の処理＞
次に、携帯端末４０によりＩｄｅｎｔｉｆｙＰｒｉｎｔｅｒの要求が行われた際の処理について説明する。図７−１及び図７−２は、ＩｄｅｎｔｉｆｙＰｒｉｎｔｅｒの要求が行われた際に行われる処理の手順の一例を示したフローチャートである。即ち、図７−１及び図７−２に示すフローチャートは、図６に示すステップ１０３〜ステップ１０６の処理を具体的に説明するものである。また、図７−１及び図７−２に示す例では、図６と同様に、対応機である第１印刷装置１０ａのプリンタ情報ＤＢにおいて、非対応機である第２印刷装置２０ａが論理プリンタとして登録されているものとして説明する。また、ユーザは、印刷を実行する装置として、第１印刷装置１０ａ、または第２印刷装置２０ａを選択するものとする。
【００５０】
まず、携帯端末４０により印刷処理を実行する印刷装置の選択が行われ、ＩｄｅｎｔｉｆｙＰｒｉｎｔｅｒの要求が送信されると、第１印刷装置１０ａの応答機能実行部１６は、ネットワーク入出力部１１を介して、ＩｄｅｎｔｉｆｙＰｒｉｎｔｅｒの要求を受信する（ステップ２０１）。ここで、選択された印刷装置が対応機の第１印刷装置１０ａである場合、ＩｄｅｎｔｉｆｙＰｒｉｎｔｅｒの要求は選択された第１印刷装置１０ａに送信される。また、選択された印刷装置が非対応機の第２印刷装置２０ａである場合、ＩｄｅｎｔｉｆｙＰｒｉｎｔｅｒの要求は、第２印刷装置２０ａを最終的な宛先とし、第２印刷装置２０ａを論理プリンタとして登録する対応機、即ち、第１印刷装置１０ａに送信される。
【００５１】
次に、応答機能実行部１６は、ＩｄｅｎｔｉｆｙＰｒｉｎｔｅｒの要求を受信すると、ＩｄｅｎｔｉｆｙＰｒｉｎｔｅｒの要求の宛先となる印刷装置（即ち、携帯端末４０にて選択された印刷装置）が自装置（第１印刷装置１０ａ）であるか否かを判定する（ステップ２０２）。ＩｄｅｎｔｉｆｙＰｒｉｎｔｅｒの要求の宛先が自装置であれば（ステップ２０２でＹｅｓ）、応答機能実行部１６は、ＩｄｅｎｔｉｆｙＰｒｉｎｔｅｒの要求において、応答機能が指定されているか否かを判定する（ステップ２０３）。
【００５２】
応答機能が指定されていれば（ステップ２０３でＹｅｓ）、さらに、応答機能実行部１６は、プリンタ情報ＤＢをもとに、指定されている応答機能を自装置が有するか否かを判定する（ステップ２０４）。指定されている応答機能を自装置が有する場合（ステップ２０４でＹｅｓ）、応答機能実行部１６は、ライトを点灯する等、応答機能を実行し（ステップ２０５）、本処理フローは終了する。ここで、応答機能実行部１６は、応答機能が実行されていることを携帯端末４０に通知し、携帯端末４０の表示部４３にて応答機能の内容を表示することとしても良い。
【００５３】
一方、ステップ２０４において、指定されている応答機能を自装置が有さない場合（ステップ２０４でＮｏ）、応答機能実行部１６は、ネットワーク入出力部１１を介して、指定されている応答機能を第１印刷装置１０ａが有さないことを携帯端末４０に通知し（ステップ２０６）、本処理フローは終了する。応答機能実行部１６が通知した内容は、携帯端末４０の表示部４３に表示される。
【００５４】
また、ステップ２０３において、応答機能が指定されていない場合（ステップ２０３でＮｏ）、ステップ２０５へ移行し、応答機能実行部１６は、第１印刷装置１０ａが有する応答機能を実行する。ここで、第１印刷装置１０ａが複数の応答機能を有している場合には、応答機能実行部１６は、例えば優先度が最も高く設定されている応答機能を選択する等、何らかのルールに従って一つの応答機能を選択して、応答機能を実行する。
【００５５】
また、ステップ２０２において、ＩｄｅｎｔｉｆｙＰｒｉｎｔｅｒの要求の宛先が自装置でなければ（ステップ２０２でＮｏ）、第１印刷装置１０ａにて登録された論理プリンタである非対応機（この例では、第２印刷装置２０ａ）が宛先であり、応答機能実行部１６は、プリンタ情報ＤＢをもとに、宛先となる第２印刷装置２０ａが応答機能を有しているか否かを判定する（ステップ２０７）。第２印刷装置２０ａが応答機能を有している場合（ステップ２０７でＹｅｓ）、応答機能実行部１６は、ＩｄｅｎｔｉｆｙＰｒｉｎｔｅｒの要求において、応答機能が指定されているか否かを判定する（ステップ２０８）。
【００５６】
応答機能が指定されていれば（ステップ２０８でＹｅｓ）、さらに、応答機能実行部１６は、プリンタ情報ＤＢをもとに、指定されている応答機能を第２印刷装置２０ａが有するか否かを判定する（ステップ２０９）。指定されている応答機能を第２印刷装置２０ａが有する場合（ステップ２０９でＹｅｓ）、応答機能実行部１６は、第２印刷装置２０ａに対して、指定されている応答機能を実行するように指示し（ステップ２１０）、本処理フローは終了する。そして、第２印刷装置２０ａの応答機能実行部２４は、応答機能の実行指示をもとに応答機能を実行する。ここで、応答機能実行部１６は、第２印刷装置２０ａにて応答機能が実行されていることを携帯端末４０に通知し、携帯端末４０の表示部４３にて応答機能の内容を表示することとしても良い。
【００５７】
一方、指定されている応答機能を第２印刷装置２０ａが有さない場合（ステップ２０９でＮｏ）、応答機能実行部１６は、プリンタ情報ＤＢをもとに、第２印刷装置２０ａにおいて、指定されている応答機能が代替機能として登録されているか否かを判定する（ステップ２１１）。代替機能として登録されている場合（ステップ２１１でＹｅｓ）、ステップ２１０へ移行し、応答機能実行部１６は、第２印刷装置２０ａに対して、指定された応答機能の代わりに、第２印刷装置２０ａが有する他の応答機能を実行するように指示する。一方、代替機能として登録されていなければ（ステップ２１１でＮｏ）、応答機能実行部１６は、第２印刷装置２０ａが応答機能（または、指定されている応答機能）を有さないことを携帯端末４０に通知し（ステップ２１２）、本処理フローは終了する。応答機能実行部１６が通知した内容は、携帯端末４０の表示部４３に表示される。
【００５８】
また、ステップ２０８において、応答機能が指定されていない場合（ステップ２０８でＮｏ）、ステップ２１０へ移行し、応答機能実行部１６は、第２印刷装置２０ａに対して、応答機能を実行するように指示する。ここで、第２印刷装置２０ａが複数の応答機能を有している場合には、応答機能実行部１６は、何らかのルールに従って一つの応答機能を選択し、選択した応答機能を実行するように指示する。また、応答機能実行部１６の指示に基づいて、第２印刷装置２０ａが複数の応答機能のうち一つを選択することとしても良い。
また、ステップ２０７において、第２印刷装置２０ａが応答機能を有さない場合（ステップ２０７でＮｏ）、ステップ２１２に移行し、応答機能実行部１６は、第２印刷装置２０ａが応答機能を有さないことを携帯端末４０に通知する。
【００５９】
ここで、ステップ２０６において、応答機能実行部１６は、第１印刷装置１０ａが指定されている応答機能を有さないことを携帯端末４０に通知することとしたが、このような構成に限られるものではない。例えば、自装置の場所を示すメッセージを第１印刷装置１０ａの表示部１８に表示したり、自装置の場所を記録媒体に印刷したりすることとしても良い。また、第１印刷装置１０ａが、指定されている応答機能以外の他の応答機能を有する場合には、他の応答機能を実行し、実行した旨を携帯端末４０に通知するような構成でも良い。
【００６０】
同様に、ステップ２１２において、応答機能実行部１６は、第２印刷装置２０ａが応答機能（または、指定されている応答機能）を有さないことを携帯端末４０に通知することとしたが、このような構成に限られるものではない。例えば、ステップ２０６のように、第１印刷装置１０ａは、第２印刷装置２０ａの場所を示すメッセージを表示部１８に表示したり、第２印刷装置２０ａの場所を記録媒体に印刷したりすることとしても良い。さらに、例えば、第２印刷装置２０ａが、ユーザにより選択されたプリンタであることを示すメッセージを表示部２５に表示したり、ユーザにより選択されたプリンタであることが記載されたバナーシートを印刷したりすることとしても良い。例えば、携帯端末４０を操作しているユーザが第２印刷装置２０ａの前にいる場合に、第２印刷装置２０ａがメッセージを表示部２５に表示したり、バナーシートの印刷を行ったりすれば、ユーザは、第２印刷装置２０ａがユーザにより選択されたプリンタであることを把握し易くなる。
【００６１】
また、応答機能実行部１６は、例えば、他のネットワークにおける無線通信によりユーザの位置を把握し、ユーザにより選択された印刷装置とユーザとの距離をもとに、実行する応答機能（または、非対応機に実行させる応答機能）を決定することとしても良い。
【００６２】
＜携帯端末に表示される画面の例＞
次に、探索要求に対する第１印刷装置１０の検索応答をもとに携帯端末４０に表示される画面について説明する。図８（ａ）〜（ｃ）は、携帯端末４０の表示部４３に表示される画面の構成例を説明するための図である。図８（ａ）〜（ｃ）に示す画面は、図６のステップ１０２により検索応答が行われることで表示される画面である。
【００６３】
まず、図８（ａ）では、表示部４３に表示された特定のアイコン等をタップすることにより、「プリント」を選択するためのボタンが表示された例を示している。この画面において、「プリント」ボタンが選択されると、表示部４３には、図８（ｂ）に示すプリンタオプション画面が表示される。図８（ｂ）では、プリンタ（即ち、印刷装置）を特定するためのボタンと、印刷部数を指定するためのボタンと、プリント（即ち、印刷指示）を行うためのボタンとが表示される。なお、ここには表示していないが、プリンタオプションとして、例えば、色を設定するための「カラー／モノクロ」のボタンや、片面印刷または両面印刷を選択するための「片面／両面」のボタン等を表示させることもできる。
【００６４】
ここで、図８（ｂ）に示す画面において、プリンタボタンの「＞」が選択されると、図８（ｃ）に示すプリンタ選択画面が表示される。図８（ｃ）では、印刷可能プリンタリスト記憶部４５に記憶されている４台のプリンタ（プリンタＡ〜Ｄ）が表示される。ここで、例えばプリンタＢが選択されると、図８（ｂ）に示すプリンタオプション画面が再度表示される。ただし、このときのプリンタオプション画面では、プリンタＡではなくプリンタＢが、選択されたプリンタとして表示されることになる。そして、この状態で、図８（ｂ）に示すプリントボタンが選択されると、選択されたプリンタを宛先とするＩｄｅｎｔｉｆｙＰｒｉｎｔｅｒの要求や、印刷ジョブが送信される。
【００６５】
ここで、例えば、印刷要求送信部４７が、まずＩｄｅｎｔｉｆｙＰｒｉｎｔｅｒの要求を送信し、その後に印刷ジョブを送信する場合には、プリントボタンが選択されることでＩｄｅｎｔｉｆｙＰｒｉｎｔｅｒの要求が送信され、さらにユーザの操作が行われることで、印刷ジョブが送信される。また、例えば、プリントボタンが選択されることで、ＩｄｅｎｔｉｆｙＰｒｉｎｔｅｒの要求、および印刷ジョブが一緒に送信されることとしても良い。また、例えば、プリントボタンが選択されることで印刷ジョブが送信され、さらにユーザの操作が行われることで、ＩｄｅｎｔｉｆｙＰｒｉｎｔｅｒの要求が送信されることとしても良い。
【００６６】
＜応答機能を実行する処理の例＞
次に、応答機能を実行する際の処理の例について説明する。図９（ａ）（ｂ）は、応答機能を実行する際に用いられるプリンタ情報ＤＢの一例を示す図である。また、図９（ａ）に示すプリンタ情報ＤＢは、第１印刷装置１０ａに記憶されており、図９（ｂ）に示すプリンタ情報ＤＢは、第１印刷装置１０ｂに記憶されているものとする。そして、図９（ａ）（ｂ）に示す例では、第１印刷装置１０ａには、非対応機である第２印刷装置２０ａが論理プリンタとして登録され、第１印刷装置１０ｂには、非対応機である第２印刷装置２０ｂが論理プリンタとして登録されている。
【００６７】
図９（ａ）に示すプリンタ情報ＤＢには、印刷装置の情報として、プリンタ名、種別、ホスト名、ＩＰアドレス、応答機能、実行要求、代替機能が記録されている。プリンタ名は、印刷装置の名称を示す。種別は、物理プリンタであるか、または論理プリンタであるかを示す。ホスト名は、印刷装置に設定されているホスト名を示す。
【００６８】
また、ＩＰアドレスは、印刷装置に設定されているものであり、他のネットワークでの通信に用いられるＩＰアドレスを示す。図９（ａ）に示すプリンタ情報ＤＢには、他のネットワークでの通信に用いられるＩＰアドレスが記録されているが、対応機には、ネットワーク３０での通信に用いられるＩＰアドレスも別途設定される。次に、応答機能は、印刷装置が有する応答機能の種別を示す。実行要求は、対応機である自装置（第１印刷装置１０ａ）が非対応機に応答機能を実行するように指示する際に用いられるコマンドを示す。また、代替機能は、非対応機において登録されている代替機能を示す。
【００６９】
そして、図示の例では、自装置である第１印刷装置１０ａがプリンタ名「プリンタＡ」として登録され、第２印刷装置２０ａがプリンタ名「プリンタＢ」として登録されている。また、第１印刷装置１０ａは「物理プリンタ」であり、ホスト名、ＩＰアドレスはそれぞれ、「mf1.airp」、「169.254.3.1」として登録されている。また、第１印刷装置１０ａは、音を鳴動させる応答機能である「sound」の機能を有している。
【００７０】
さらに、第２印刷装置２０ａは「論理プリンタ」であり、ホスト名、ＩＰアドレスはそれぞれ、「mf1.logicalairp1」、「172.27.58.5」として登録されている。ここで、第２印刷装置２０ａのＩＰアドレスは、ネットワーク３０での通信に用いられるＩＰアドレスである。通常、非対応機のＩＰアドレスは、対応機において他のネットワークでの通信に用いられるＩＰアドレス（この例では、169.254.3.1）とは異なるサブネットに属し、異なるネットワークアドレスを示すことになる。また、第２印刷装置２０ａは、光を出す応答機能である「light」の機能を有している。さらに、第２印刷装置２０ａに応答機能を実行するように指示する際には、「ＨＴＴＰ ＧＥＴ／ｌｉｇｈｔ／ｏｎ」というＨＴＴＰ（Hypertext Transfer Protocol）のＧＥＴコマンドが用いられる。また、第２印刷装置２０ａでは、代替機能として「ｓｏｕｎｄ」の機能が登録されている。
【００７１】
また、図９（ａ）と同様に、図９（ｂ）に示すプリンタ情報ＤＢには、印刷装置の情報として、プリンタ名、種別、ホスト名、ＩＰアドレス、応答機能、実行要求、代替機能が記録されている。そして、図示の例では、自装置である第１印刷装置１０ｂがプリンタ名「プリンタＣ」として登録され、第２印刷装置２０ｂがプリンタ名「プリンタＤ」として登録されている。また、第１印刷装置１０ｂは「物理プリンタ」であり、ホスト名、ＩＰアドレスはそれぞれ、「mf2.airp」、「169.254.3.2」として登録されている。また、第１印刷装置１０ｂは「sound」の機能を有している。さらに、第２印刷装置２０ｂは「論理プリンタ」であり、ホスト名、ＩＰアドレスはそれぞれ、「mf2.logicalairp2」、「172.27.58.6」として登録されている。また、第２印刷装置２０ｂも「sound」の機能を有している。さらに、第２印刷装置２０ｂに応答機能を実行するように指示する際には、「ＨＴＴＰ ＧＥＴ／ｓｏｕｎｄ／ｏｎ」というＨＴＴＰのＧＥＴコマンドが用いられる。
【００７２】
ここで、図９に示す例では、第１印刷装置１０ａの応答機能実行部１６は、ＩｄｅｎｔｉｆｙＰｒｉｎｔｅｒの要求を受信すると、ＩｄｅｎｔｉｆｙＰｒｉｎｔｅｒの情報から宛先となるホスト名を取得する。そして、応答機能実行部１６は、図９（ａ）に示すプリンタ情報ＤＢをもとに、取得したホスト名に対応するＩＰアドレスと、自装置のＩＰアドレスとを比較する。そして、両者のＩＰアドレスが一致していれば、応答機能実行部１６は、ＩｄｅｎｔｉｆｙＰｒｉｎｔｅｒの要求の宛先が自装置であると判定する。一方、両者のＩＰアドレスが一致していなければ、応答機能実行部１６は、ＩｄｅｎｔｉｆｙＰｒｉｎｔｅｒの要求の宛先が非対応機の論理プリンタであると判定する。本実施の形態では、判別情報の一例として、ＩＰアドレスが用いられる。
【００７３】
なお、ＩｄｅｎｔｉｆｙＰｒｉｎｔｅｒの宛先を判定する手法はこのような構成に限られるものではない。例えば、応答機能実行部１６は、ＩｄｅｎｔｉｆｙＰｒｉｎｔｅｒの宛先のホスト名と自装置のホスト名とを比較することとしても良い。また、非対応機であることを表す名称を含めるようにホスト名の命名規則を定めておき、応答機能実行部１６は、ＩｄｅｎｔｉｆｙＰｒｉｎｔｅｒの宛先のホスト名をもとに、非対応機への要求であるか否かを判定することとしても良い。さらに、ＩｄｅｎｔｉｆｙＰｒｉｎｔｅｒの情報に最終的な宛先となるＩＰアドレスが含まれていれば、応答機能実行部１６は、そのＩＰアドレスと自装置のＩＰアドレスとを比較することとしても良い。
【００７４】
また、図９に示す例では、第１印刷装置１０ａの応答機能実行部１６は、第２印刷装置２０ａに応答機能を実行するように指示する際、「ＨＴＴＰ ＧＥＴ／ｌｉｇｈｔ／ｏｎ」というＧＥＴコマンドを用い、第２印刷装置２０ａは指示されたＧＥＴコマンドを解釈して、ライトを点灯させる応答機能を実行する。ここで、第２印刷装置２０ａには代替機能として「ｓｏｕｎｄ」が登録されている。即ち、ＩｄｅｎｔｉｆｙＰｒｉｎｔｅｒの要求において「ｓｏｕｎｄ」の応答機能を実行するように指定されている場合、第２印刷装置２０ａは「ｓｏｕｎｄ」の応答機能を有していないため、第１印刷装置１０ａは、指定されている「ｓｏｕｎｄ」の代わりに第２印刷装置２０ａが有する他の応答機能（図９（ａ）の例では「ｌｉｇｈｔ」）を実行するように、第２印刷装置２０ａに指示を行う。
【００７５】
一方、第２印刷装置２０ｂには代替機能が登録されていないため、例えば、ＩｄｅｎｔｉｆｙＰｒｉｎｔｅｒの要求において「ｌｉｇｈｔ」の応答機能を実行するように指定されている場合、第２印刷装置２０ｂが有する「ｓｏｕｎｄ」の応答機能は実行されない。  即ち、第２印刷装置２０ａは、携帯端末４０から音を出すように指示されたとしても、代替機能により光を出すように動作して、ユーザに報知することができる。一方、第２印刷装置２０ｂは、代替機能が登録されていないため、携帯端末４０から音を出すように指示されない限り音を出さずユーザへの報知は行われないが、過剰に音を出すことが抑制されることとなる。
【００７６】
また、図９に示す例では、非対応機を１台の対応機に登録することとしたが、このような構成に限られるものではなく、非対応機を複数の対応機に登録することとしても良い。即ち、図９の構成において、第２印刷装置２０ａを論理プリンタとして第１印刷装置１０ａに登録するとともに、第２印刷装置２０ａを第１印刷装置１０ｂにも登録することとしても良い。
【００７７】
以上説明したように、本実施の形態に係る第１印刷装置１０は、非対応機を論理プリンタとして登録し、携帯端末４０からのＩｄｅｎｔｉｆｙＰｒｉｎｔｅｒの要求の宛先が自装置であるか非対応機であるかを判定する。そして、宛先が非対応機であれば、第１印刷装置１０は応答機能を実行せず、宛先となる非対応機に対して応答機能を実行するように指示する等の処理を行う。
【００７８】
例えば、対応機と非対応機とが混在している環境において、使用する印刷装置として非対応機が選択された場合に対応機が応答機能を実行してしまうと、ユーザは、実際に使用する印刷装置を特定できず、実際には使用されない印刷装置にて印刷が行われると思ってしまう場合がある。さらに、対応機が少なく、非対応機が多くある環境では、数の少ない対応機ばかりがＩｄｅｎｔｉｆｙＰｒｉｎｔｅｒへの応答をすることになる。
【００７９】
そこで、本実施の形態に係る第１印刷装置１０を用いることにより、対応機と非対応機とが混在している環境において、非対応機を用いて印刷が行われる場合に、印刷が行われる装置として対応機等の他の印刷装置がユーザに報知されることが抑制される。さらに、印刷が行われる非対応機が応答機能を実行することで、ユーザに非対応機の場所が報知されるため、ユーザは、実際に印刷が実行される非対応機の位置を把握し易くなり利便性が向上する。また、代替機能により、非対応機がＩｄｅｎｔｉｆｙＰｒｉｎｔｅｒで指定されている応答機能を有さない場合であっても、非対応機は自装置が有する応答機能を実行してユーザに非対応機の場所を報知する。
【００８０】
＜本実施の形態の他の構成例＞
上記のように、ＩｄｅｎｔｉｆｙＰｒｉｎｔｅｒにより、その要求先となる印刷装置にて応答機能が実行され、ライトの点灯や音の鳴動等が行われる。ここで、例えば、ＡｉｒＰｒｉｎｔを使用しているユーザとは別のユーザが、印刷のために印刷装置の前でその印刷装置を使用している場合がある。その際、ランプの点灯や音の鳴動等が行われると、印刷装置の前で使用しているユーザを驚かせてしまうことが考えられる。また、印刷装置の前で使用しているユーザは、ＡｉｒＰｒｉｎｔの使用を制限できず、自らの利用よりもＡｉｒＰｒｉｎｔを使用しているユーザに先に印刷されてしまう場合がある。
【００８１】
そこで、以下に説明する実施例では、ユーザが印刷装置を使用している際、他のユーザにより携帯端末４０からＡｉｒＰｒｉｎｔの操作が行われれば、ＡｉｒＰｒｉｎｔに対する対応をユーザ（印刷装置を使用しているユーザ）に選択させることができるような構成とする。以下では、ＡｉｒＰｒｉｎｔの操作を行うユーザを「ＡｉｒＰｒｉｎｔユーザ」、ＡｉｒＰｒｉｎｔの操作が行われた時点で印刷装置の前でその印刷装置を使用している別のユーザを「使用ユーザ」と称することとする。
【００８２】
応答機能実行部１６は、携帯端末４０よりＩｄｅｎｔｉｆｙＰｒｉｎｔｅｒの要求を受け取ると、要求先（宛先）となる印刷装置をその時点で使用している使用ユーザが存在しているか否かを判定する。使用ユーザが存在しなければ、図７−１及び図７−２に示すようなＩｄｅｎｔｉｆｙＰｒｉｎｔｅｒの要求に対する処理や、図６のステップ１０８〜ステップ１１０の印刷処理が行われる。一方、使用ユーザが存在すれば、応答機能実行部１６は、ＩｄｅｎｔｉｆｙＰｒｉｎｔｅｒの要求に対する処理を行うのではなく、使用ユーザに対してＡｉｒＰｒｉｎｔの対応を選択させるための情報を表示部１８に表示させる。
【００８３】
そして、使用ユーザは、ＡｉｒＰｒｉｎｔの処理を進行させても良い場合には、ＩｄｅｎｔｉｆｙＰｒｉｎｔｅｒの要求に対する処理を実行することを選択する。ＩｄｅｎｔｉｆｙＰｒｉｎｔｅｒの要求に対する処理を実行することが選択されると、応答機能実行部１６は、図７−１及び図７−２に示す処理を実行する。一方、使用ユーザは、ＡｉｒＰｒｉｎｔの処理を進行させたくない場合には、ＩｄｅｎｔｉｆｙＰｒｉｎｔｅｒの要求に対する処理を実行しないことを選択する。
【００８４】
ＩｄｅｎｔｉｆｙＰｒｉｎｔｅｒの要求に対する処理を実行しないことが選択されると、応答機能実行部１６は、複数のメッセージを表示部１８に表示させる。使用ユーザは、複数のメッセージの中から、ＡｉｒＰｒｉｎｔユーザに対して報知するメッセージを選択することがすることができ、選択されたメッセージが携帯端末４０に送信される。そして、携帯端末４０は、受信したメッセージの内容を表示部４３に表示して、ＡｉｒＰｒｉｎｔユーザに対して印刷装置が使用中であること等を報知する。
【００８５】
図１０は、携帯端末４０からの操作に対する対応をユーザに選択させる際の処理の手順の一例を示したフローチャートである。図１０に示す例では、図６、図７−１、図７−２と同様に、対応機である第１印刷装置１０ａのプリンタ情報ＤＢにおいて、非対応機である第２印刷装置２０ａが論理プリンタとして登録されているものとして説明する。
【００８６】
まず、ＡｉｒＰｒｉｎｔユーザにより、携帯端末４０にて印刷処理を実行する印刷装置の選択が行われ、ＩｄｅｎｔｉｆｙＰｒｉｎｔｅｒの要求が送信されると、第１印刷装置１０ａの応答機能実行部１６は、ネットワーク入出力部１１を介して、ＩｄｅｎｔｉｆｙＰｒｉｎｔｅｒの要求を受信する（ステップ３０１）。次に、応答機能実行部１６は、ＩｄｅｎｔｉｆｙＰｒｉｎｔｅｒの要求を受信すると、ＩｄｅｎｔｉｆｙＰｒｉｎｔｅｒの要求の宛先となる印刷装置（携帯端末４０にて選択された印刷装置）をその時点で使用している使用ユーザが存在するか否かを判定する（ステップ３０２）。
【００８７】
ここで、ＩｄｅｎｔｉｆｙＰｒｉｎｔｅｒの要求の宛先が自装置（第１印刷装置１０ａ）である場合、応答機能実行部１６は、例えば、入力受付部１９にてユーザの入力を受け付けていたり、印字部１３による印字の処理が行われていたりすると、使用ユーザが存在すると判定する。また、ＩｄｅｎｔｉｆｙＰｒｉｎｔｅｒの要求の宛先が非対応機（第２印刷装置２０ａ）である場合、応答機能実行部１６は、ネットワーク入出力部１１を介して、非対応機から非対応機の使用状況を取得して、使用ユーザの存在を確認する。
【００８８】
使用ユーザが存在しなければ（ステップ３０２でＮｏ）、本処理フローは終了する。本処理フロー終了後、図７−１及び図７−２のステップ２０２〜ステップ２１２の処理や、図６のステップ１０８〜ステップ１１０の処理が行われる。一方、使用ユーザが存在すれば（ステップ３０２でＹｅｓ）、応答機能実行部１６は、ＡｉｒＰｒｉｎｔに対する対応を使用ユーザに選択させるための情報を出力し、表示部１８に表示させる（ステップ３０３）。ここでは、表示部１８には、例えば、「他のユーザがＡｉｒＰｒｉｎｔを使おうとしています」のような警告が表示されるとともに、ＩｄｅｎｔｉｆｙＰｒｉｎｔｅｒの要求に対する処理を実行させるか否かを使用ユーザに選択させるメッセージが表示される。
【００８９】
次に、応答機能実行部１６は、使用ユーザによる選択として、ＩｄｅｎｔｉｆｙＰｒｉｎｔｅｒの要求に対する処理を実行させることが選択されたか否かを判定する（ステップ３０４）。ＩｄｅｎｔｉｆｙＰｒｉｎｔｅｒの要求に対する処理を実行させることが選択された場合（ステップ３０４でＹｅｓ）、本処理フローは終了する。そして、本処理フロー終了後、図７−１及び図７−２のステップ２０２〜ステップ２１２の処理や、図６のステップ１０８〜ステップ１１０の処理が行われる。一方、ＩｄｅｎｔｉｆｙＰｒｉｎｔｅｒの要求に対する処理を実行させないことが選択された場合（ステップ３０４でＮｏ）、次に、応答機能実行部１６は、使用ユーザが選択するための複数のメッセージを表示部１８に表示させる（ステップ３０５）。
【００９０】
ここで、表示部１８に表示されるメッセージは、例えば、使用ユーザにて使用中であることを携帯端末４０、即ちＡｉｒＰｒｉｎｔユーザに通知するためのメッセージであり、「あと５分で終わります」、「時間がかかるので、３０分後に使用してください」のように、使用ユーザの使用時間を報知するメッセージが用いられる。また、例えば、「今使っているので、他のプリンタで出力してください」、「プリンタＣは他のユーザが使用しています。プリンタＤを選択してください。音が鳴ることで、場所をお知らせします」のように、使用中の印刷装置とは異なる他の印刷装置を使用することを促すメッセージが用いられることとしても良い。
【００９１】
次に、メッセージが選択されると、応答機能実行部１６は、選択されたメッセージが他の印刷装置の使用を促すメッセージであるか否かを判定する（ステップ３０６）。他の印刷装置の使用を促すメッセージでなければ（ステップ３０６でＮｏ）、応答機能実行部１６は、選択されたメッセージを携帯端末４０に送信し（ステップ３０７）、本処理フローは終了する。本処理フロー終了後、携帯端末４０は受信したメッセージの内容を表示部４３に表示し、ＡｉｒＰｒｉｎｔユーザに報知する。
【００９２】
一方、ステップ３０６において、選択されたメッセージが他の印刷装置の使用を促すメッセージであれば（ステップ３０６でＹｅｓ）、応答機能実行部１６は、プリンタ情報ＤＢ等をもとに、その時点で使用ユーザが存在していない別の印刷装置を選択する（ステップ３０８）。そして、応答機能実行部１６は、選択した印刷装置の使用を促すメッセージを携帯端末４０に送信し（ステップ３０９）、本処理フローは終了する。本処理フロー終了後、携帯端末４０では受信したメッセージの内容が表示部４３に表示される。そして、ＡｉｒＰｒｉｎｔユーザは、使用することを促された印刷装置を選択すると、例えば、図７−１及び図７−２に示す処理や、図６のステップ１０８〜ステップ１１０の処理が行われ、選択した印刷装置にて印刷が実行される。
【００９３】
また、ステップ３０９において、応答機能実行部１６は、例えば、選択した印刷装置が応答機能を有する場合には、先に応答機能を実行させて印刷装置の場所を示した後、その印刷装置の使用を促すメッセージを送信することとしても良い。さらに、応答機能実行部１６は、例えば、選択した印刷装置に印刷ジョブ（転送用ジョブ）を転送し、印刷ジョブを転送したことを報知するメッセージを携帯端末４０に送信することとしても良い。
【００９４】
このように、本実施例では、第１印刷装置１０は、ＡｉｒＰｒｉｎｔの操作が行われた際に、その時点で印刷装置を使用している使用ユーザが存在するか否かを判定する。そして、使用ユーザが存在すれば、ＡｉｒＰｒｉｎｔに対する対応を使用ユーザに選択させる。このような構成により、ＩｄｅｎｔｉｆｙＰｒｉｎｔｅｒの要求により応答機能が実行されて、すでに第１印刷装置１０や第２印刷装置２０を使用している使用ユーザを驚かせてしまうようなことがなくなり、使用ユーザの使用を妨げることが抑制される。また、使用ユーザによる印刷処理を優先して実行することが可能になり、利便性が向上する。
さらに、例えば、他の印刷装置への出力を促すメッセージや、印刷ジョブを転送したメッセージがＡｉｒＰｒｉｎｔユーザに報知されることで、ＡｉｒＰｒｉｎｔユーザは、使用可能な印刷装置を把握し易くなり、再度、印刷装置の探索要求を実行しなくて済むようになる。
【００９５】
また、上記の実施例では、ＩｄｅｎｔｉｆｙＰｒｉｎｔｅｒの要求の処理が行われた後に印刷ジョブに対する処理が行われることとしたが、例えば、携帯端末４０からＩｄｅｎｔｉｆｙＰｒｉｎｔｅｒの要求より先に印刷ジョブが送信される場合には、ステップ３０３において、印刷ジョブに対する処理を実行させるか否かを選択させるメッセージが表示されることとしても良い。
【００９６】
＜プログラムの説明＞
以上説明を行った本実施の形態における第１印刷装置１０が行う処理は、上述した通り、例えば、アプリケーションソフトウェア等のプログラムとして用意される。
【００９７】
よって、第１印刷装置１０が行う処理は、コンピュータに、記録媒体に画像を形成するとともに特定プロトコルを用いた通信を行えない非対応機との間で通信を行い、端末装置との間では特定プロトコルを用いた通信を行う機能と、自装置および非対応機を判別するための判別情報を含む装置情報を装置ごとに取得する機能と、端末装置から特定プロトコルを用いた存在通知の要求が行われると、装置情報に基づいて、存在通知の要求が自装置への要求であれば自装置の位置を操作者に通知し、存在通知の要求が非対応機への要求であれば自装置の位置を操作者に通知しない機能と、端末装置にて行われる非対応機を用いた画像形成の指示を、非対応機に転送する機能とを実現させるためのプログラム、として捉えることもできる。
【００９８】
なお、上述した実施の形態では、印刷機能を有する第１印刷装置１０を対応機とした場合を例として説明を行ったが、これに限られるものではなく、対応機は印刷機能を有してなくてもよい。すなわち、サーバ等のコンピュータ装置で対応機を構成してもかまわない。
【００９９】
また、本発明を実施の形態を用いて説明したが、本発明の技術的範囲は上記実施の形態には限定されない。本発明の精神及び範囲から逸脱することなく様々に変更したり代替態様を採用したりすることが可能なことは、当業者に明らかである。
【符号の説明】
【０１００】
１…印刷システム、１０ａ，１０ｂ…第１印刷装置、１１…ネットワーク入出力部、１２…ジョブ受信部、１３…印字部、１４…プリンタ情報記憶部、１５…検索応答部、１６…応答機能実行部、１７…ジョブ転送部、１８…表示部、１９…入力受付部、２０ａ，２０ｂ…第２印刷装置、２１…ネットワーク入出力部、２２…ジョブ受信部、２３…印字部、２４…応答機能実行部、２５…表示部、２６…入力受付部、３０…ネットワーク、４０…携帯端末、４１…ネットワーク入出力部、４２…入力受付部、４３…表示部、４４…印刷装置検索部、４５…印刷可能プリンタリスト記憶部、４６…印刷データ作成部、４７…印刷要求送信部
【図１】
2015187791.tif 000003
【図２】
2015187791.tif 000004
【図３】
2015187791.tif 000005
【図４】
2015187791.tif 000006
【図５】
2015187791.tif 000007
【図６】
2015187791.tif 000008
【図７−１】
2015187791.tif 000009
【図７−２】
2015187791.tif 000010
【図８】
2015187791.tif 000011
【図９】
2015187791.tif 000012
【図１０】
2015187791.tif 000013